(57)【要約】【課題】すべての配筋を漏れなく撮影等することのできる配筋検査システムを提供する。【解決手段】この配筋検査システム１は、デジタルカメラ２を用いた建造物の配筋検査を含む各種検査と、該各種検査に関わる工事施工或いは作業の管理との少なくとも一方に適用可能なものであって、事務所に設置したＯＡパーソナルコンピュータ４で、あらかじめ入力された個別の配筋図面データに基づいて、区画ごとの検査に関する作業指示データの作成を行い、それらの作業指示データを転送した現場端末３で、ある区画での作業指示データに基づいて、当該ある区画の作業記録をデジタルカメラ２で全て撮影し終えたときに撮影完了である旨の報知を行うように構成されている。【選択図】図１
2011080216.tif 000002
【特許請求の範囲】
【請求項１】
撮影手段を用いた建造物の配筋検査を含む各種検査と、該各種検査に関わる工事施工或いは作業の管理との少なくとも一方に適用可能な配筋検査システムであって、
あらかじめ入力された個別の配筋図面データに基づいて、区画ごとの検査に関する作業指示データの作成を行う作業指示データ作成手段と、
ある区画での作業指示データに基づいて、当該ある区画の作業記録を前記撮影手段で全て撮影し終えたときに撮影完了である旨の報知を行う撮影完了報知手段と
を備えたことを特徴とする配筋検査システム。
【請求項２】
撮影手段を用いた建造物の配筋検査を含む各種検査と、該各種検査に関わる工事施工或いは作業の管理との少なくとも一方に適用可能な配筋検査システムであって、
あらかじめ入力された個別の配筋図面データに基づいて、区画ごとの検査に関する作業指示データの作成を行う作業指示データ作成手段と、
ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段と
を備えたことを特徴とする配筋検査システム。
【請求項３】
撮影手段を用いた建造物の配筋検査を含む各種検査と、該各種検査に関わる工事施工或いは作業の管理との少なくとも一方に適用可能な配筋検査システムであって、
あらかじめ入力された個別の配筋図面データに基づいて、区画ごとの検査に関する作業指示データの作成を行う作業指示データ作成手段と、
ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段と、
任意の区画での作業指示データに基づいて、当該任意の区画での作業記録を前記撮影手段で撮影可能とする第二撮影継続手段と、
前記第一撮影継続手段と、前記第二撮影継続手段とのいずれかを選択するための選択手段と
を備えたことを特徴とする配筋検査システム。
【請求項４】
前記区画は、フロアを含む場所単位と、工事施工或いは作業を管理する括り単位との少なくとも一方を単位とすることを特徴とする請求項１〜３のいずれか１項に記載の配筋検査システム。
【請求項５】
配筋図面を切り出すことにより、前記個別の配筋図面データを作成する個別配筋図面データ作成手段を備えたことを特徴とする請求項１〜４のいずれか１項に記載の配筋検査システム。
【請求項６】
前記撮影手段で撮影された撮影データを用いて報告書データを作成する報告書データ作成手段を備えたことを特徴とする請求項１〜５のいずれか１項に記載の配筋検査システム。
【発明の詳細な説明】
【技術分野】
【０００１】
本発明は、配筋検査システムに関し、詳しくは撮影手段を用いた建造物の配筋検査を含む各種検査と、該各種検査に関わる工事施工或いは作業の管理との少なくとも一方に適用可能な配筋検査システムに係るものである。
【背景技術】
【０００２】
鉄筋工事における配筋検査では、鉄筋の量、位置、間隔などが設計どおりに正しく配置されているか否かをチェックするのであるが、従来は、検査員が工事現場に持参した設計図面との照合を行うとともに、その状態をデジタルカメラなどで撮影して行っていた。
【０００３】
かかる撮影量は膨大であり、それらの撮影写真を事後に検査結果として報告するときに、撮影場所や時間などが不明となることがあった。そこで、カメラの撮影手段を用いて建造物の配筋検査を行う配筋検査システムが開発された。
【０００４】
例えば特許文献１では、作業事務所に設置されるパソコンおよびデータベースと、作業現場に装着され、場所情報と部材情報を記録した情報記録カードとを備え、情報読取機能付デジタルカメラにより施工位置を撮影することにより、画像と日付・時刻情報を記録し、同時に、情報記録カードに記録された場所情報および部材情報をデータベースに記録する作業現場撮影記録システムが開示されている。
【発明の概要】
【発明が解決しようとする課題】
【０００５】
通常、建造物の強度保障の観点から、配筋検査として全数検査が採用されていることが多い。しかし、前記特許文献１に開示されたシステムでは、デジタルカメラで撮影する場所の決定は検査員の判断だけによるため、すべての検査対象箇所についての作業が完了したか否かの確認が困難となる。そして、特に検査対象箇所が多い場合は、検査期間が長くなり、複数の者が検査に当たることもあると考えられるので、撮影漏れが発生しやすくなるものと推察される。
【０００６】
本発明は、かかる事情に鑑みてなされたものであり、その目的とするところは、すべての配筋を漏れなく撮影することのできる配筋検査システムを提供することである。
【課題を解決するための手段】
【０００７】
第一の発明は、撮影手段を用いた建造物の配筋検査を含む各種検査と、該各種検査に関わる工事施工或いは作業の管理との少なくとも一方に適用可能な配筋検査システムであって、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに撮影完了である旨の報知を行う撮影完了報知手段とを備えたことを特徴とするものである。
【０００８】
第一の発明によれば、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに撮影完了である旨の報知を行う撮影完了報知手段とを備えたので、検査員はかかる報知の有無により、ある区画での撮影が完了したか否かを知ることができる。そして、かかる報知があったときに、次の区画での撮影に取り掛かることとなる。これにより、区画ごとのすべての配筋を漏れなく撮影等することができるようになる。
【０００９】
第二の発明は、撮影手段を用いた建造物の配筋検査を含む各種検査と、該各種検査に関わる工事施工或いは作業の管理との少なくとも一方に適用可能な配筋検査システムであって、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段とを備えたことを特徴とするものである。
【００１０】
第二の発明によれば、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段とを備えたので、前の作業が完了しないと、次の作業の記録入力や写真撮影、登録ができない。これにより、区画ごとのすべての配筋を漏れなく撮影等することができるようになる。
【００１１】
第三の発明は、撮影手段を用いた建造物の配筋検査を含む各種検査と、該各種検査に関わる工事施工或いは作業の管理との少なくとも一方に適用可能な配筋検査システムであって、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段と、任意の区画での作業指示データに基づいて、当該任意の区画での作業記録を前記撮影手段で撮影可能とする第二撮影継続手段と、前記第一撮影継続手段と、前記第二撮影継続手段とのいずれかを選択するための選択手段とを備えたことを特徴とするものである。
【００１２】
第三の発明によれば、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段と、任意の区画での作業指示データに基づいて、当該任意の区画での作業記録を前記撮影手段で撮影可能とする第二撮影継続手段と、前記第一撮影継続手段と、前記第二撮影継続手段とのいずれかを選択するための選択手段とを備えたので、選択手段で第一撮影継続手段が選択されたときには、前の作業が完了しないと、次の作業の記録入力や写真撮影、登録ができない。これにより、区画ごとのすべての配筋を漏れなく撮影等することができるようになる。一方、選択手段で第二撮影継続手段が選択されたときには、指示書の中の作業がどんな順にでも実施することが可能となる。また、この場合は、中断状態の作業が存在していても新たな作業を開始することができて便利である。
【００１３】
ところで、区画内における撮影対象箇所が膨大であるときには、その全てを撮影してから報告書を作成したのでは、迅速な対応が困難である。その一方、区画内における撮影対象箇所が過小であるときには、その撮影は短時間で終了してしまうので、頻繁に報告書を作成することとなり煩雑である。
【００１４】
そこで、請求項４記載の発明のように、前記区画は、フロアを含む場所単位と、工事施工或いは作業を管理する括り単位との少なくとも一方を単位とすることが好ましい。
【００１５】
請求項４記載の発明によれば、前記区画は、フロアを含む場所単位と、工事施工或いは作業を管理する括り単位との少なくとも一方を単位とするので、当該単位ごとの全ての配筋を漏れなく撮影することができる。
【００１６】
請求項５記載の発明のように、配筋図面データを切り出すことにより、前記個別の配筋図面データを作成する個別配筋図面データ作成手段を備えることが好ましい。なお、個別の配筋図面データとは、例えばフロアを構成する大梁、小梁などのように、各撮影対象箇所にある纏まった単位の配筋の図面データからなるものをいう。
【００１７】
請求項５記載の発明によれば、配筋図面データを切り出すことにより、前記個別の配筋図面データを作成する個別配筋図面データ作成手段を備えたので、個別の配筋図面データを効率よく作成することができる。
【００１８】
請求項６記載の発明のように、前記撮影手段で撮影された撮影データを用いて報告書データを作成する報告書データ作成手段を備えることが好ましい。
【００１９】
請求項６記載の発明によれば、前記撮影手段で撮影された撮影データを用いて報告書データを作成する報告書データ作成手段を備えたので、報告書データを効率よく作成することができる。
【発明の効果】
【００２０】
第一の発明によれば、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに撮影完了である旨の報知を行う撮影完了報知手段とを備えたので、検査員はかかる報知の有無により、ある区画での撮影が完了したか否かを知ることができる。そして、かかる報知があったときに、次の区画での撮影に取り掛かることとなる。これにより、区画ごとのすべての配筋を漏れなく撮影等することができるようになる。
【００２１】
第二の発明によれば、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段とを備えたので、前の作業が完了しないと、次の作業の記録入力や写真撮影、登録ができない。これにより、区画ごとのすべての配筋を漏れなく撮影等することができるようになる。
【００２２】
第三の発明によれば、あらかじめ入力された個別の配筋図面データに基づいて、区画ごとの検査に関する作業指示データの作成を行う作業指示データ作成手段と、ある区画での作業指示データに基づいて、当該ある区画の作業記録を前記撮影手段で全て撮影し終えたときに、次の区画での作業指示データに基づいて、当該次の区画での作業記録を前記撮影手段で撮影可能とする第一撮影継続手段と、任意の区画での作業指示データに基づいて、当該任意の区画での作業記録を前記撮影手段で撮影可能とする第二撮影継続手段と、前記第一撮影継続手段と、前記第二撮影継続手段とのいずれかを選択するための選択手段とを備えたので、選択手段で第一撮影継続手段が選択されたときには、前の作業が完了しないと、次の作業の記録入力や写真撮影、登録ができない。これにより、区画ごとのすべての配筋を漏れなく撮影等することができるようになる。一方、選択手段で第二撮影継続手段が選択されたときには、指示書の中の作業がどんな順にでも実施することが可能となる。また、この場合は、中断状態の作業が存在していても新たな作業を開始することができて便利である。
【図面の簡単な説明】
【００２３】
【図１】本発明の一実施形態に係る配筋検査システムまわりのハードウエア構成を示す概念図である。
【図２】本システムまわりのソフトウエア構成を示す機能ブロック図である。
【図３】本システムの動作例を示すフローチャートである。
【図４】本システムの現場端末での記録入力画面例を示す説明図である。
【図５】本システムの現場端末での配筋図表示例を示す説明図である。
【図６】本システムの現場端末での作業手順画面例を示す説明図である。
【図７】本システムの現場端末でのアルバム出力例を示す説明図である。
【発明を実施するための形態】
【００２４】
図１は本発明の一実施形態に係る配筋検査システム（以下、本システムという。）１まわりのハードウエア構成を示す概念図、図２は本システム１まわりのソフトウエア構成を示す機能ブロック図である。図１及び図２に示すように、本システム１は、建造物の配筋検査を行うものであって、主として、デジタルカメラ（撮影手段に相当する。）２と、このデジタルカメラ２とともに現場に携帯可能な現場端末３と、事務所に設置されたＯＡパーソナルコンピュータ４の一部の機能処理部とから構成されている。
【００２５】
ここで、デジタルカメラ２は、配筋検査対象箇所の撮影を行うものであって、現場端末３に無線通信でその撮影データを転送可能なものである。
【００２６】
現場端末３は、例えばタブレットパーソナルコンピュータからなり、各種演算等を実行するＣＰＵ（Ｃｅｎｔｒａｌ  ｐｒｏｃｅｓｓｉｎｇ  ｕｎｉｔ）と、各種プログラム等と各種データ等を記憶するメモリーを備えており、これにキーボードやスタイラスペンなどの入力部３ａと、液晶画面などの表示部３ｂとが一体化されている。
【００２７】
そして、前記メモリーに記憶しておいた各種プログラム等を前記ＣＰＵに読み込んで実行することで、作業記録写真撮影機能処理部３１と、黒板機能処理部３２と、報告書作成機能処理部３３とがそれぞれ構築されるようになっている。
【００２８】
作業記録写真撮影機能処理部３１は、デジタルカメラ２で現場での作業状況を撮影したときに、該デジタルカメラ２から無線通信で転送されてくる撮影データを取り込むためのものである。
【００２９】
黒板機能処理部３２は、ある区画（例えばビット階のフロア）での配筋検査対象箇所の作業指示データに基づいて、現場での配筋検査を実施するための黒板表示等を行うものである。そして、当該ある区画の作業記録を前記デジタルカメラ２で全て撮影し終えたときに撮影完了である旨の報知として、表示部３ｂ上に「完了」表示を行うようになっている（撮影完了報知手段に相当する）。
【００３０】
報告書作成機能処理部３３は、作業記録写真撮影機能処理部３１で取り込んだ撮影データを用いて報告書（工事アルバム）データを作成するものであって、報告書データ作成手段に相当する。
【００３１】
ＯＡパーソナルコンピュータ４は、前記現場端末３と同様に、各種演算等を実行するＣＰＵと、各種プログラム等と各種データ等を記憶するメモリーを備えており、これにキーボードやマウスなどの入力部４ａと、液晶画面などの表示部４ｂとがそれぞれ電気的に接続されている。
【００３２】
そして、前記メモリーに記憶しておいた各種プログラム等を前記ＣＰＵに読み込んで実行することで、配筋図面個別切出機能処理部４１と、作業指示の作成発行機能処理部４２と、さらに本システム１の範囲外ではあるが、配筋図面データ作成機能処理部４３と、報告書出力部４４と、報告書送信部４５とがそれぞれ構築されるようになっている。
【００３３】
入力部４ａは、ＥＸＣＥＬ（マイクロソフト社の商品名）ファイルへの配筋検査対象箇所の情報（フロア、構造、位置等）の入力に使用するものである。
【００３４】
配筋図面個別切出機能処理部４１は、配筋図面データ作成機能処理部４３で作成された元図面データ（画像データ）から配筋図面データを個別に切出すことにより、個別の配筋図面データを作成するものである（個別配筋図面データ作成手段に相当する）。なお、個別の配筋図面データとは、例えばフロアを構成する大梁、小梁などのように、各撮影対象箇所にある纏まった単位の配筋の図面データからなるものをいう。
【００３５】
作業指示の作成発行機能処理部４２は、入力部４ａから入力した配筋検査対象箇所の前記情報と、配筋図面個別切出機能処理部４１で作成された個別の配筋図面データに基づいて、区画ごとの検査に関する作業指示の作成を行うとともに（作業指示データ作成手段に相当する）、その発行（現場端末３への転送）を行うためのものである。
【００３６】
配筋図面データ作成機能処理部４３は、適当なＣＡＤツールを用いて配筋図面ＣＡＤデータを作成するものである。
【００３７】
報告書出力部４４は、報告書作成機能処理部３３で作成された報告書データを例えば表示部４ｂに表示し、さらにはこの報告書データを保管するものである。
【００３８】
報告書送信部４５は、報告書作成機能処理部３３で作成された前記報告書データを事務所外の例えば本社などに送信するものである。
【００３９】
図３は本システム１の動作例を示すフローチャート、図４は現場端末３での記録入力画面例を示す説明図、図５は現場端末３での配筋図表示例を示す説明図、図６は本システムの現場端末での作業手順画面例を示す説明図、図７は現場端末３でのアルバム出力例を示す説明図である。以下、これらの図を参照しつつ、本システム１の動作を説明する。なお、ここではＯＡパーソナルコンピュータ４の配筋図面データ作成機能処理部４３で配筋図面ＣＡＤデータがすでに作成されているものとする
【００４０】
まず図３において、ＯＡパーソナルコンピュータ４の配筋図面個別切出機能処理部４１を使用して、設計図面から検査対象箇所ごとの配筋図を切り出し、検査対象箇所ごとの図面ファイルを作成する（ステップＳ１）。
【００４１】
次いで、入力部４ａでＥＸＣＥＬ（マイクロソフト社の商品名）に、配筋検査対象箇所の情報（フロア、構造、位置等）と、前記ステップＳ１で作成した配筋図面ファイルのファイル名を入力することにより、作業指示の作成発行機能処理部４２を使用して、検査指示データを作成する。この検査指示データを、現場端末３に転送する（ステップＳ２）。
【００４２】
次いで、現場に現場端末３とデジタルカメラ２とを持参し、その現場端末３の作業記録写真撮影機能処理部３１により、例えばビット階のフロア（ある区画に相当する。）における検査対象箇所の作業指示データを開き、さらに検査対象箇所（断面）の作業を開く（ステップＳ３）。
【００４３】
次いで、現場端末３上の配筋図面等の情報等に基づき検査を実施し、入力部３ａから検査結果、検査員、検査日等を現場端末３に入力する（ステップＳ４）。このとき、表示部３ｂに表示される記録表示の画面例では、図４に示すように、その左側に、工事内容が「配筋工事」、フロアが「ビット階」、部位が「基礎」、符号が「ＦＧ１」、位置が「Ｙ１−Ｘ１，Ｘ２」、日付が「２００９／２／１０」、検査員が「日之本太郎」、判定が「合格」とそれぞれ表示される。なお、判定の「合格」か「保留」かは、検査員が、そのいずれか一方を選択することで、現場端末３に入力されるようになっている。その右側に、「配筋図面と照合し、適正かを判定する。判定後、状態を写真撮影する。」との注記が表示されている。また、配筋図表示例の画面例では、図５に示すように、符号が「ＦＧ１」、位置が「全断面」、断面形状などがそれぞれ表示される。
【００４４】
次いで、検査合格となった後に、現場端末３の黒板機能処理部３２を使用して、検査箇所情報を現場端末画面に表示し、この現場端末３を検査対象物の脇等に置き、デジタルカメラ２を用いて、検査対象物を撮影して、現場端末３にその撮影データを送信する（ステップＳ５）。撮影データは、作業記録写真撮影機能処理部３１により、現場端末３に取り込む。
【００４５】
次いで、検査対象箇所の検査作業が完了したか否かを判断する（ステップＳ６）。作業や、その上位の管理単位の「完了」、「作業中」等のステータスは、表示部３ｂの画面上の作業手順画面（図６参照。）や作業指示書一覧画面に表示される。その「完了」の表示がなく、検査作業が終了していないと判断した場合には（ステップＳ６でＮｏ）、上記ステップＳ３に戻る。一方、検査作業が終了したと判断した場合には（ステップＳ６でＹｅｓ）、表示部３ｂの画面上に「完了」と表示して次のステップＳ７に進む。
【００４６】
そして、報告書作成機能処理部３３を使用して、報告書（工事アルバム）を作成する（ステップＳ７）。このとき、表示部３ｂに表示される工事アルバムの画面例では、図７に示すように、左側に写真、右側に記事として、工事内容と鉄筋工事とが表示されるとともに、右側に図面が表示されている。なお、報告書の書式は、事前に定義し、現場端末３に保存しておくものとする。
【００４７】
この報告書は、ＯＡパーソナルコンピュータ４に送信され、報告書出力部４４は、報告書作成機能処理部３３で作成された報告書データを例えば表示部４ｂの画面上に表示し、さらには報告書データをＯＡパーソナルコンピュータ４に保管する。また、報告書送信部４５は、報告書作成機能処理部３３で作成された報告書データを本社などに送信する。
【００４８】
以上説明したように、本システム１によれば、現場で撮影した写真を、その場で報告書に貼り付け、事務所外の本社などに送信できる。また、報告書（検査レポート）に、配筋図（設計書）を添えるため、配筋図の画像をシステムに持ち込んで、現場端末３での閲覧や報告書への貼り込みができる。報告書には、画像以外に検査日や検査員等が記入できる。写真撮影時に写し込む黒板を現場端末３の表示部３ｂに表示して、黒板への手書きを解消する。検査対象箇所一覧に、撮影済み状況を自動消し込みして管理が簡単に行われる。
【００４９】
すなわち、あらかじめ入力された個別の配筋図面データに基づいて、フロアなどの区画ごとの検査に関する作業指示データの作成を行い、ある区画での作業指示データに基づいて、当該ある区画の作業記録をデジタルカメラ２で全て撮影し終えたときに、表示部３ｂに撮影完了である旨の表示を行うので、検査員は、かかる表示が「完了」であるか否かにより、ある区画での撮影が完了したか否かを知ることができる。そして、表示部３ｂの画面上に「完了」の表示があったときに、次の区画での撮影に取り掛かることとなる。これにより、区画ごとのすべての配筋を漏れなく撮影等することができるようになる。
【００５０】
なお、上記実施形態では、ある区画の作業記録をデジタルカメラ２で全て撮影し終えたときに、表示部３ｂに撮影完了である旨の表示を行うが、ある区画での作業指示データに基づいて、当該ある区画の作業記録をデジタルカメラ２で全て撮影し終えたときに、次の区画での作業指示データに基づいて、当該次の区画での作業記録をデジタルカメラ２で撮影可能とすることとしてもよい（第一撮影継続手段に相当する）。この場合には、前の作業が完了しないと、次の作業の記録入力や写真撮影、登録ができない。これにより、区画ごとのすべての配筋を漏れなく撮影等することができるようになる。
【００５１】
或いは、ある区画での作業指示データに基づいて、当該ある区画の作業記録をデジタルカメラ２で全て撮影し終えたときに、次の区画での作業指示データに基づいて、当該次の区画での作業記録をデジタルカメラ２で撮影可能とするか（第一撮影継続手段に相当する）、任意の区画での作業指示データに基づいて、当該任意の区画での作業記録をデジタルカメラ２で撮影可能とするか（第二撮影継続手段に相当する）のいずれかを選択することとしてもよい（選択手段に相当する）。この場合には、前者が選択されたときには、前の作業が完了しないと、次の作業の記録入力や写真撮影、登録ができない。これにより、区画ごとのすべての配筋を漏れなく撮影等することができるようになる。一方、後者が選択されたときには、指示書の中の作業がどんな順にでも実施することが可能となる。また、この場合は、中断状態の作業が存在していても新たな作業を開始することができて便利である。
【００５２】
また、上記実施形態では、配筋図面個別切出機能処理部４１や作業指示の作成発行機能処理部４２をＯＡパーソナルコンピュータ４に備えたが、これを現場端末３に備えることとしてもよいし、その逆に、現場端末３に備えている報告書作成機能処理部３３を、配筋図面個別切出機能処理部４１などをＯＡパーソナルコンピュータ４に備えることとしてもよい。
【符号の説明】
【００５３】
１  配筋検査システム（本システムということがある。）
２  デジタルカメラ（撮影手段に相当する。）
３  現場端末
３ａ  入力部
３ｂ  表示部
３１  作業記録写真撮影機能処理部
３２  黒板機能処理部（撮影完了報知手段、第一撮影継続手段、第二撮影継続手段、選択手段に相当する。）
３３  報告書作成機能処理部（報告書データ作成手段に相当する。）
４  ＯＡパーソナルコンピュータ
４ａ  入力部
４ｂ  表示部
４１  配筋図面個別切出機能処理部（個別配筋図面データ作成手段に相当する。）
４２  作業指示の作成発行機能処理部（作業指示データ作成手段に相当する。）
【先行技術文献】
【特許文献】
【００５４】
【特許文献１】特開２００５−１６１０８号公報
【図１】
2011080216.tif 000003
【図２】
2011080216.tif 000004
【図３】
2011080216.tif 000005
【図４】
2011080216.tif 000006
【図５】
2011080216.tif 000007
【図６】
2011080216.tif 000008
【図７】
2011080216.tif 000009